(57)【要約】      （修正有）【課題】装置規模を大きくすることなく、簡単な構成で送気送水の流路及び流量制御を行うことが可能な内視鏡用送気送水装置を提供する。【解決手段】内視鏡用送気送水装置１０は、内視鏡３０の送気送水管路３４と接続される第１の管路と、内視鏡のウォータージェット管路３６に接続される第２の管路と、所定の圧力の空気を供給するポンプ１１と液体を貯留しポンプから空気が供給された時に貯留された液体を送出するタンク１２とを備え、第１の管路に空気又は液体を送出し、第２の管路に液体を送出する送気送水ユニットと、第２の管路の中途部に挿入され第２の管路を流れる液体の流量を制限する流量制限手段であるオリフィス１５と、ユーザの操作に基づく信号を受け付け、信号に応じて送気送水ユニットの流路を制御する制御手段１６とを備える。【選択図】図１
2013090721.tif 000002
【特許請求の範囲】
【請求項１】
送気送水管路及びウォータージェット管路を備えた内視鏡の先端部に空気及び液体を供給する内視鏡用送気送水装置であって、
前記送気送水管路と接続される第１の管路と、
前記ウォータージェット管路に接続される第２の管路と、
所定の圧力の空気を供給するポンプと、液体を貯留し、前記ポンプから空気が供給された時に該貯留された液体を送出するタンクとを備え、前記第１の管路に空気又は液体を送出し、前記第２の管路に液体を送出する送気送水ユニットと、
前記第２の管路の中途部に挿入され、前記第２の管路を流れる液体の流量を制限する流量制限手段と、
ユーザの操作に基づく信号を受け付け、該信号に応じて前記送気送水ユニットから送出する空気及び液体の流路を制御する制御手段と、
を備え、
前記制御手段は、
（１）前記信号がユーザの送気の操作に基づく信号である場合に、前記送気送水ユニットから前記第１の管路に空気を送出し、
（２）前記信号がユーザの送水の操作に基づく信号である場合に、前記送気送水ユニットから前記第１の管路に液体を送出し、
（３）前記信号がユーザのウォータージェットの操作に基づく信号である場合に、前記送気送水ユニットから前記第２の管路に液体を送出する
ことを特徴とする内視鏡用送気送水装置。
【請求項２】
前記送気送水ユニットは、
前記ポンプから供給される空気の流路を前記第１の管路側又は前記タンク側のいずれか一方に切り換える第１の流路切換手段と、
前記タンクから供給される液体の流路を前記第１の管路側又は前記第２の管路側のいずれか一方に切り換える第２の流路切換手段と、
を備え、
前記制御手段は、前記信号に基づいて前記第１の流路切換手段及び前記第２の流路切換手段を切換える
ることを特徴とする請求項１に記載の内視鏡用送気送水装置。
【請求項３】
前記制御手段は、
（１）前記信号がユーザの送気の操作に基づく信号である場合に、前記第１の流路切換手段によって前記ポンプから供給される空気の流路を前記第１の管路側に切り換え、
（２）前記信号がユーザの送水の操作に基づく信号である場合に、前記第１の流路切換手段によって前記ポンプから供給される空気の流路を前記タンク側に切り換えると共に、前記第２の流路切換手段によって前記タンクから供給される液体の流路を前記第１の管路側に切り換え、
（３）前記信号がユーザのウォータージェットの操作に基づく信号である場合に、前記第１の流路切換手段によって前記ポンプから供給される空気の流路を前記タンク側に切り換えると共に、前記第２の流路切換手段によって前記タンクから供給される液体の流路を前記第２の管路側に切り換える
ことを特徴とする請求項２に記載の内視鏡用送気送水装置。
【請求項４】
前記第１の流路切換手段及び前記第２の流路切換手段は、それぞれ電磁弁で構成されることを特徴とする請求項２又は請求項３に記載の内視鏡用送気送水装置。
【請求項５】
前記流量制限手段は、オリフィスであることを特徴とする請求項１から請求項４のいずれか一項に記載の内視鏡用送気送水装置。
【請求項６】
前記オリフィスは、オリフィス開口の大きさを可変可能な可変型オリフィスであり、前記制御手段は、前記信号に基づいて前記オリフィス開口の大きさを制御することを特徴とする請求項５に記載の内視鏡用送気送水装置。
【請求項７】
前記タンクに貯留された液体は、水又は生理食塩水のいずれかであることを特徴とする請求項１から請求項６のいずれか一項に記載の内視鏡用送気送水装置。
【発明の詳細な説明】
【技術分野】
【０００１】
本発明は、内視鏡に用いられる送気送水装置であって、特に、内視鏡内に配設される送気送水管及びウォータージェット管による送気送水の流路及び流量制御を行う内視鏡用送気送水装置に関する。
【背景技術】
【０００２】
患者の体腔内に挿入されて対象部位の観察や撮像を行う内視鏡では、従来から体腔内に挿入される挿入管の内部に送気送水管及びウォータージェット管を備え、これらの管路により内視鏡の先端部まで送気、送水が可能なように構成されている。かかる送気送水管は、送気によって患者の管腔を広げて視野を確保したり、体液や出血などで内視鏡先端の対物レンズ表面が汚れて観察性能が低下した場合に、水等の洗浄液を噴射してレンズ表面の汚れを除去したり、空気を送って対物レンズ表面の水滴を飛ばしたりすることで視界を回復することに用いられる。また、ウォータージェット管は、その先端から噴射される洗浄液により胃や腸壁に付着した汚物等を洗い流したり、内視鏡手技による出血を洗い流したりする場合に用いられる。
【０００３】
胃や腸壁の汚物洗浄や内視鏡手技による出血の洗い流しを行う場合（すなわち、ウォータージェット管が用いられる場合）には、レンズ表面の汚れを除去する場合（すなわち、送気送水管が用いられる場合）と比較して、より高い水圧が求められる。このように異なる圧力の水圧が求められるため、従来は、圧力の低い送気送水用のポンプと、圧力の高いウォータージェット用のポンプとを併用していた（例えば、特許文献１）。また、送水用のポンプの出力に複数のバルブ（電磁弁）を設け、このポンプから送られる空気の一部を大気中に開放する（逃がす）ことでポンプの圧力を制御し、送水量を可変とする構成も採られている（例えば、特許文献２）。
【先行技術文献】
【特許文献】
【０００４】
【特許文献１】特開２００６−３２５８１３号公報
【特許文献２】特開平１１−２７６４２８号公報
【発明の概要】
【発明が解決しようとする課題】
【０００５】
しかし、特許文献１に記載の構成は、圧力の異なる２系統のポンプとタンクが必要となるため、装置の規模が大きくなり、また、タンク内の洗浄液の管理等も面倒なものとなる。また、特許文献２に記載の構成は、ポンプの圧力を制御するためのバルブが余計に必要となるため、バルブでの圧力損失の影響により正確な流量制御を行うことが困難となり、また、バルブ制御が複雑になるという問題がある。
【０００６】
本発明は上記の問題を解決するためになされたものである。すなわち、本発明は、装置規模を大きくすることなく、簡単な構成で送気送水の流路及び流量制御を行うことが可能な内視鏡用送気送水装置を提供することを目的とする。
【課題を解決するための手段】
【０００７】
上記の目的を達成するため、本発明の内視鏡用送気送水装置は、送気送水管路及びウォータージェット管路を備えた内視鏡の先端部に空気及び液体を供給する内視鏡用送気送水装置であって、送気送水管路と接続される第１の管路と、ウォータージェット管路に接続される第２の管路と、所定の圧力の空気を供給するポンプと液体を貯留しポンプから空気が供給された時に該貯留された液体を送出するタンクとを備え、第１の管路に空気又は液体を送出し、第２の管路に液体を送出する送気送水ユニットと、第２の管路の中途部に挿入され第２の管路を流れる液体の流量を制限する流量制限手段と、ユーザの操作に基づく信号を受け付け、該信号に応じて送気送水ユニットから送出する空気及び液体の流路を制御する制御手段とを備え、制御手段は、（１）信号がユーザの送気の操作に基づく信号である場合に、送気送水ユニットから第１の管路に空気を送出し、（２）信号がユーザの送水の操作に基づく信号である場合に、送気送水ユニットから第１の管路に液体を送出し、（３）信号がユーザのウォータージェットの操作に基づく信号である場合に、送気送水ユニットから第２の管路に液体を送出することを特徴とする。
【０００８】
このような構成によれば、１台のポンプと１台のタンクの組み合わせで、送気、送水及びウォータージェットを切り換えることが可能となるため、装置規模を大きくすることなく、簡単な構成で送気送水の流路及び流量制御を行うことが可能な内視鏡用送気送水装置が実現される。
【０００９】
また、送気送水ユニットは、ポンプから供給される空気の流路を第１の管路側又はタンク側のいずれか一方に切り換える第１の流路切換手段と、タンクから供給される液体の流路を第１の管路側又は前記第２の管路側のいずれか一方に切り換える第２の流路切換手段とを備え、制御手段は、信号に基づいて第１の流路切換手段及び第２の流路切換手段を切換える構成とすることができる。このような構成によれば、２つの流路切換手段の制御のみで、送気、送水及びウォータージェットの動作を切り替えることが可能となるため、内視鏡用送気送水装置全体をよりシンプルな構成とすることができる。
【００１０】
また、制御手段は、（１）信号がユーザの送気の操作に基づく信号である場合に、第１の流路切換手段によってポンプから供給される空気の流路を第１の管路側に切り換えると共に、第２の流路切換手段によってタンクから供給される液体の流路を第２の管路側に切り換え、（２）信号がユーザの送水の操作に基づく信号である場合に、第１の流路切換手段によってポンプから供給される空気の流路をタンク側に切り換えると共に、第２の流路切換手段によってタンクから供給される液体の流路を第１の管路側に切り換え、（３）信号がユーザのウォータージェットの操作に基づく信号である場合に、第１の流路切換手段によってポンプから供給される空気の流路をタンク側に切り換えると共に、第２の流路切換手段によってタンクから供給される液体の流路を第２の管路側に切り換える構成とすることが望ましい。
【００１１】
また、第１の流路切換手段及び第２の流路切換手段は、それぞれ電磁弁で構成することができる。
【００１２】
また、流量制限手段は、オリフィスで構成することができる。この場合、オリフィスは、オリフィス開口の大きさを可変可能な可変型オリフィスであり、制御手段は、信号に基づいてオリフィス開口の大きさを制御する構成とすることが望ましい。このような構成とすれば、ウォータージェットの際に噴射される洗浄液の圧力（勢い）をユーザの操作によって調整することが可能となる。
【００１３】
また、タンクに貯留された液体は、水又は生理食塩水のいずれかであることが望ましい。
【発明の効果】
【００１４】
以上のように、本発明によれば、装置規模を大きくすることなく、簡単な構成で送気送水の流路及び流量制御を行うことが可能な内視鏡用送気送水装置が実現される。
【図面の簡単な説明】
【００１５】
【図１】図１は、本発明の実施の形態に係る内視鏡用送気送水装置（送気送水装置１０）の全体構成図である。
【図２】図２は、送気送水装置１０の各動作モードと、ユーザ操作及び送気送水装置１０内の制御との関係を示す表である。
【発明を実施するための形態】
【００１６】
以下、本発明の実施の形態について図面を用いて詳細に説明する。
【００１７】
図１は、本発明の実施の形態に係る内視鏡用送気送水装置の全体構成図である。図１に示すように、内視鏡用送気送水装置１０（以下、送気送水装置１０という）は、内視鏡（電子内視鏡）３０とケーブルによって接続されて用いられる。なお、内視鏡３０が実際に使用される際には、内視鏡３０は、内視鏡３０に電源を供給し画像処理等を行うプロセッサにも接続されるが、図１においては、プロセッサ等の周辺機器の記載を省略している。
【００１８】
内視鏡３０には、先端部３１から操作部３２まで、不図示の観察窓（内視鏡３０の先端の対物光学系のレンズ面）へ送気及び送水するための送気送水管３４と、被観察体へ洗浄水を噴射するためのウォータージェット管３６が配設される。
【００１９】
操作部３２には、第１スイッチ３７ａ及び第２スイッチ３７ｂが設けられており、これらの操作制御信号は、ケーブルを介して、送気送水装置１０の制御回路１６に出力される。また、操作部３２に配置されたコネクタ（不図示）を介して、内視鏡３０に配設された送気送水管３４と、送気送水装置１０から延設される送気送水チューブ２４とが接続され、また内視鏡３０に配設されたウォータージェット管３６と、送気送水装置１０から延設される高圧送水チューブ２６とが接続される。
【００２０】
本実施形態の送気送水装置１０は、上述のように接続された内視鏡３０の第１スイッチ３７ａ及び第２スイッチ３７ｂから操作制御信号を受信し、これに基づいて送気送水管３４とウォータージェット管３６に空気及び洗浄水（すなわち、送気及び送水）を送出する装置である。
【００２１】
送気送水装置１０は、所定の圧力の空気を供給するポンプ１１と、水や生理食塩水等の洗浄液を溜める送水タンク１２、第１電磁弁１３、第２電磁弁１４、オリフィス１５、送気送水装置１０内の各構成要素を統括的に制御する制御回路１６等を備えている。
【００２２】
ポンプ１１は、不図示の吸気口から大気中の空気を吸い込み、所定の圧力の空気を供給するエアーポンプである。ポンプ１１は、制御回路１６に接続されており、制御回路１６によってオン／オフ制御される。また、ポンプ１１の排気口は、送気管２１の一端に接続されており、送気管２１の他端は第１電磁弁１３の入力ポートに接続される。第１電磁弁１３は、制御回路１６によって制御される三方電磁弁であり、２つの出力ポートの一方には、送水タンク１２に空気を導く送気管２２が接続され、他方には、送気送水チューブ２４から分岐する送気チューブ２４ｂが接続されている。従って、ポンプ１１の排気口から供給される空気は、制御回路１６による第１電磁弁１３の制御のもと、送気管２１、第１電磁弁１３を介して、送気管２２又は送気チューブ２４ｂに送られる。
【００２３】
制御回路１６によって、第１電磁弁１３の出力ポートとして送気チューブ２４ｂ側が選択されている場合、ポンプ１１の排気口から供給される空気は、送気管２１、第１電磁弁１３を介して、送気チューブ２４ｂに送られる。そして、送気チューブ２４ｂに送られた空気は、送気送水チューブ２４、送気送水管３４の中を通り、送気送水管３４の先端の送気送水口３３から内視鏡３０の外方に送出される。本実施形態においては、送気送水口３３は、内視鏡３０の先端部３１に配置された対物光学系（不図示）のレンズ面に近接して配置されている。そして、体液や出血などで対物光学系のレンズ表面が汚れて観察性能が低下した場合に、洗浄液を噴射してレンズ表面の汚れを除去したり（後述）、空気を送ってレンズ表面の水滴を飛ばしたりすることで視界を回復するのに用いられる。このように、送気送水管３４に空気を送出する送気送水装置１０の動作を、本明細書では「送気モード」と称する。
【００２４】
制御回路１６によって、第１電磁弁１３の出力ポートとして送気管２２側が選択されている場合、ポンプ１１の排気口から供給される空気は、送気管２１、第１電磁弁１３を介して、送水タンク１２に送られる。上述したように、送水タンク１２は、水や生理食塩水等の洗浄液を溜めるタンクであり、洗浄液を貯留した状態で密閉されている。そして、送気管２２は、その先端が洗浄液の液面よりも高い位置となるように送水タンク１２の内部に挿入されている。また、送水タンク１２には、送水タンク１２内の洗浄液を送り出すための送水管２３が設けられている。送水管２３の一端は、洗浄液の液面よりも十分低い位置に配置され、他端は、送水タンク１２の外側に配置される第２電磁弁１４の入力ポートに接続されている。このような構成において、ポンプ１１からの空気が送水タンク１２に送られると、送水タンク１２内の空気の圧力が高くなり、空気の圧力によって洗浄液の液面が押し下げられることとなる。このため、送水タンク１２内の洗浄液は、送水管２３の中を通り、第２電磁弁１４の入力ポートに送り出されることとなる。
【００２５】
第２電磁弁１４は、制御回路１６によって制御される三方電磁弁であり、２つの出力ポートの一方には、オリフィス１５に洗浄液を導く送水管２５が接続され、他方には、送気送水チューブ２４から分岐する送水チューブ２４ａが接続されている。従って、送水タンク１２から供給される洗浄液は、制御回路１６による第２電磁弁１４の制御のもと、送水管２３、第２電磁弁１４を介して、送水管２５又は送水チューブ２４ａに送られる。
【００２６】
制御回路１６によって、第２電磁弁１４の出力ポートとして送水チューブ２４ａ側が選択されている場合、送水タンク１２から供給される洗浄液は、送水管２３、第２電磁弁１４を介して、送水チューブ２４ａに送り出される。そして、送水チューブ２４ａに送り出された洗浄液は、送気送水チューブ２４、送気送水管３４の中を通り、送気送水管３４の先端の送気送水口３３から内視鏡３０の外方に送出される。上述したように、本実施形態においては、送気送水口３３は、内視鏡３０の先端部３１に配置された対物光学系のレンズ面に近接して配置されている。従って、体液や出血などで対物光学系のレンズ表面が汚れて観察性能が低下した場合に、洗浄液を噴射してレンズ表面の汚れを除去することが可能となる。このように、送気送水管３４に洗浄液を送出する送気送水装置１０の動作を、本明細書では「送水モード」と称する。
【００２７】
制御回路１６によって、第２電磁弁１４の出力ポートとして送水管２５側が選択されている場合、送水タンク１２から供給される洗浄液は、送水管２３、第２電磁弁１４を介して、送水管２５に送られる。上述したように、送水管２５の他端は、オリフィス１５の流入口に接続されている。また、オリフィス１５の吐出口には、高圧送水チューブ２６が接続されている。オリフィス１５は、その管路内に所定の大きさの絞りを有しており、吐出口側（下流側）の管路の径が流入口側（上流側）の管路の径よりも小さくなるように構成されている。従って、洗浄液がオリフィス１５を通ると、その流量が急激に減少し、吐出口側（下流側）において高圧となり、高圧送水チューブ２６に送出される。そして、洗浄液は、高圧送水チューブ２６、ウォータージェット管３６の中を通り、ウォータージェット管３６の先端のジェット口３５から内視鏡３０の外方に送出される。本実施形態においては、ジェット口３５は、内視鏡３０の先端部３１から前方に開口して配置されている。従って、ジェット口３５から噴射される洗浄液は、内視鏡３０の前方の胃や腸壁に付着した汚物等を洗い流したり、内視鏡手技による出血を洗い流したりする場合に用いられる。このように、ウォータージェット管３６に洗浄液を送出する送気送水装置１０の動作を、本明細書では「ウォータージェットモード」と称する。
【００２８】
上述のように、本実施形態の送気送水装置１０は、内視鏡３０の第１スイッチ３７ａ及び第２スイッチ３７ｂから入力される操作制御信号に基づいて、ポンプ１１、第１電磁弁１３及び第２電磁弁１４を制御し、送気送水管３４とウォータージェット管３６に空気及び洗浄水（すなわち、送気及び送水）を送出する。
【００２９】
次に、図２を参照しながら、ユーザによる内視鏡３０の第１スイッチ３７ａ及び第２スイッチ３７ｂの操作と、上述した送気送水装置１０の各動作モードとの関係を説明する。図２は、送気送水装置１０の各動作モードと、ユーザ操作及び送気送水装置１０内の制御との関係を示す表である。
【００３０】
＜停止モード＞
送気送水装置１０に電源が投入され、内視鏡３０の第１スイッチ３７ａ及び第２スイッチ３７ｂが操作されていない状態では、ポンプ１１はオフされ、送気送水装置１０から内視鏡３０の送気送水管３４及びウォータージェット管３６には、送気及び送水は行われない。すなわち、送気送水装置１０は、内視鏡３０の第１スイッチ３７ａ及び第２スイッチ３７ｂが操作されるまで待機状態となる。そして、制御回路１６が、ユーザによって第１スイッチ３７ａ又は第２スイッチ３７ｂが操作されたことを検出すると、ポンプ１１をオンし、その操作内容に応じて第１電磁弁及び第２電磁弁を制御し、「送気モード」、「送水モード」又は「ウォータージェットモード」を実行する。
【００３１】
＜送気モード＞
第１スイッチ３７ａが操作され（オンし）、第２スイッチ３７ｂがオフすると、送気送水装置１０は、送気モードで動作する。すなわち、制御回路１６によって、第１電磁弁１３の出力ポートとして送気チューブ２４ｂが選択され、第２電磁弁１４は閉じられる。従って、ポンプ１１の排気口から供給される空気は、送気管２１、第１電磁弁１３を介して、送気チューブ２４ｂに送られる。そして、送気チューブ２４ｂに送られた空気は、送気送水チューブ２４、送気送水管３４の中を通り、送気送水管３４の先端の送気送水口３３から内視鏡３０の外方に送出される。なお、送気モードにおいては、第２電磁弁１４が閉じられるため、ポンプ１１の排気口から供給される空気が送水チューブ２４ａを介してウォータージェット管３６や送水管２３に流れ込むことはない。
【００３２】
＜送水モード＞
第１スイッチ３７ａがオフし、第２スイッチ３７ｂが操作される（オンする）と、送気送水装置１０は、送水モードで動作する。すなわち、制御回路１６によって、第１電磁弁１３の出力ポートとして送気管２２が選択され、第２電磁弁１４の出力ポートとして送水チューブ２４ａが選択される。従って、ポンプ１１から供給される空気によって、送水タンク１２内の洗浄液が送り出され、洗浄液は、送水管２３、送水チューブ２４ａ、送気送水チューブ２４、送気送水管３４の中を通り、送気送水管３４の先端の送気送水口３３から内視鏡３０の外方に送出される。
【００３３】
＜ウォータージェットモード＞
第１スイッチ３７ａ及び第２スイッチ３７ｂが操作される（オンする）と、送気送水装置１０は、ウォータージェットモードで動作する。すなわち、制御回路１６によって、第１電磁弁１３の出力ポートとして送気管２２が選択され、第２電磁弁１４の出力ポートとして送水管２５が選択される。従って、ポンプ１１から供給される空気によって、送水タンク１２内の洗浄液が送り出され、洗浄液は、送水管２３、送水管２５、オリフィス１５、高圧送水チューブ２６、ウォータージェット管３６の中を通り、ウォータージェット管３６の先端のジェット口３５から内視鏡３０の外方に送出される。
【００３４】
このように、本実施形態の送気送水装置１０は、内視鏡３０の第１スイッチ３７ａ及び第２スイッチ３７ｂから入力される操作制御信号に基づいて、１つのポンプ１１から供給される空気を第１電磁弁１３で切り換えることにより、送気（送気モード）と送水（送水モード及びウォータージェットモード）を切り替え、また、送水（送水モード及びウォータージェットモード）する場合には、さらに第２電磁弁によって送水モードとウォータージェットモードとを切り替えている。すなわち、１系統のポンプと送水タンク（すなわち、１台のポンプ１１と１台の送水タンク１２）で、送気、送水及びウォータージェットモードを実現している。従って、従来の特許文献１の構成のように２系統のポンプと送水タンクとを備える構成と比較し装置全体をコンパクトにすることが可能となり、装置全体のコストダウンも図られることとなる。また、送気、送水及びウォータージェットモードの切り替えは、２つの電磁弁（すなわち、第１電磁弁と第２電磁弁）を制御するのみであり、従来の特許文献２の構成のように、多くの電磁弁を用いて複雑な制御をする必要がない点で優れる。
【００３５】
以上が本発明の実施形態の説明であるが、本発明は上記の実施形態の構成に限定されるものではなく、発明の技術的思想の範囲内において、様々な変形が可能である。例えば、本実施形態においては、オリフィス１５は、管路内に所定の大きさの絞りを有するものとして説明したが、制御回路１６の制御によって絞りの大きさが変化する可変型オリフィスを用いてもよい。この場合、例えば内視鏡３０の操作部３２に配置したスイッチ等からの信号によって、可変型オリフィスの絞りの大きさを変え、ウォータージェットモード時に噴射される洗浄液の圧力（勢い）を調整する構成とすることが望ましい。また、可変型オリフィスの絞りの大きさを変える構成に代えて、ポンプ１１の吐出量を変える構成とすることも可能である。
【００３６】
また、本実施形態においては、高圧送水チューブ２６を内視鏡３０のウォータージェット管３６に接続する構成として説明したが、内視鏡３０がウォータージェット管３６を備えていない場合には、高圧送水チューブ２６を内視鏡３０の鉗子チャネルに挿通して使用する構成とすることも可能である。
【００３７】
また、本実施形態においては、送気送水装置１０は、内視鏡３０の第１スイッチ３７ａ及び第２スイッチ３７ｂから入力される操作制御信号に基づいて動作するように構成したが、この構成に限定されるものではなく、例えば、送気送水装置１０にフットスイッチ等の別の操作手段を設ける構成としてもよい。
【００３８】
また、本実施形態においては、内視鏡３０の第１スイッチ３７ａ及び第２スイッチ３７ｂから入力される操作制御信号に基づいて各動作モードを切り換える構成としたが、この構成に限定されるものではなく、例えば、第１スイッチ３７ａ及び第２スイッチ３７ｂに代えて、１つのスイッチで構成し、そのスイッチの押し込み量に基づいて各動作モードを切り換える構成としてもよい。
【符号の説明】
【００３９】
１０    送気送水装置
１１    ポンプ
１２    送水タンク
１３    第１電磁弁
１４    第２電磁弁
１５    オリフィス
１６    制御回路
２１、２２    送気管
２３、２５    送水管
２４    送気送水チューブ
２４ａ  送水チューブ
２４ｂ  送気チューブ
２６    高圧送水チューブ
３０    内視鏡
３１    先端部
３２    操作部
３３    送気送水口
３４    送気送水管
３５    ジェット口
３６    ウォータージェット管
３７ａ  第１スイッチ
３７ｂ  第２スイッチ
【図１】
2013090721.tif 000003
【図２】
2013090721.tif 000004